(57)【要約】【課題】乗員が運転中に車両用機器の操作を行う上で安全性を向上することができる車両用機器操作装置を提供する。【解決手段】車両用機器操作装置３０は、シート１に取り付けられ、空気が封入される各空気袋１１ａ，１１ｂと、各空気袋１１ａ，１１ｂの各内圧値Ｐａ，Ｐｂを検出し、当該各内圧値Ｐａ，Ｐｂに基づき、乗員の調整操作を検出することによってオーディオ機器１０の音量を調整する調整制御を実行する制御装置２６とを備えている。そして、制御装置２６は、シート１上に着座した乗員が体動で各空気袋１１ａ，１１ｂを押圧することによって生じる各内圧値Ｐａ，Ｐｂの変化に基づき、乗員の調整操作を検出するように構成されている。【選択図】図１
2018127026.tif 000002
【特許請求の範囲】
【請求項１】
車両のシートに取り付けられ、流体が封入される変形体と、
前記変形体の内圧を検出し、当該検出の結果に基づき、車両用機器の動作状態を調整するための乗員の操作である調整操作を検出することによって当該車両用機器の動作状態を調整する調整制御を実行する制御装置と、を備え、
前記制御装置は、前記シート上に着座した乗員が体動で前記変形体を押圧することによって生じる内圧の変化に基づき、前記調整操作を検出可能に構成されている
車両用機器操作装置。
【請求項２】
請求項１に記載の車両用機器操作装置において、
前記変形体は、空気の給排に基づき内圧が増減することによって膨張又は収縮するように構成される空気袋であり、
前記空気袋に空気を圧送する空気ポンプと、前記空気袋と前記空気ポンプとの間をそれぞれ接続する流路上に設けられるバルブと、当該流路上において前記空気袋の内圧を検出する圧力センサとを有してなる給排気装置を備え、
前記制御装置は、前記圧力センサの検出結果に基づき、前記調整操作を検出可能に構成されている、ことを特徴とする車両用機器操作装置。
【請求項３】
請求項１又は請求項２に記載の車両用機器操作装置において、
乗員が発する音声を検出する音声検出部を備え、
前記制御装置は、前記音声検出部の検出結果に基づき、前記調整制御を実行する状態を設定可能に構成されている、ことを特徴とする車両用機器操作装置。
【請求項４】
請求項３に記載の車両用機器操作装置において、
前記変形体は、空気の給排に基づき内圧が増減することによって膨張又は収縮するように構成される空気袋であり、
前記空気袋に空気を圧送する空気ポンプと、前記空気袋と前記空気ポンプとの間をそれぞれ接続する流路上に設けられるバルブと、当該流路上において前記空気袋の内圧を検出する圧力センサとを有してなる給排気装置を備え、
前記制御装置は、前記圧力センサの検出結果に基づき、前記調整操作を検出可能に構成されているとともに、前記音声検出部の検出結果に基づき、前記調整制御を実行する状態を設定する際、前記空気袋に対する空気の給気を前記給排気装置に指示し、前記空気袋からの空気の排気を前記給排気装置に指示することによって前記調整制御を停止する状態を設定可能に構成されている、ことを特徴とする車両用機器操作装置。
【請求項５】
請求項１〜請求項４のうちいずれか一項に記載の車両用機器操作装置において、
前記車両の走行状態を検出する車両状態検出センサを備え、
前記制御装置は、前記車両状態検出センサの検出結果に基づき、旋回や急制動の走行状態を検出する間は前記調整操作の検出を前記調整制御に反映させないように構成されている、ことを特徴とする車両用機器操作装置。
【発明の詳細な説明】
【技術分野】
【０００１】
本発明は、車両用機器操作装置に関する。
【背景技術】
【０００２】
従来、車両用機器操作装置には、乗員が車両を運転したままでもオーディオ機器等、種々の車両用機器の操作を可能にするものがある。この操作の方法としては、乗員の音声を車両用機器の操作として検出したり、スイッチやセンサ等を用いて、乗員の手指の動作を車両用機器の操作として検出したりする等、様々な方法が提案されている。
【０００３】
例えば、特許文献１には、乗員が操舵ハンドルを握ったままで、車両用機器の操作を可能にする車両用機器操作装置が記載されている。この車両用機器操作装置では、乗員の手指の動作として、押圧動作を検出するためのセンサ等で構成される操作入力部を、操舵ハンドル又はステアリングコラムに取り付けるようにしている。そして、操作入力部は、乗員が目視しなくても押圧動作すべき場所を手指で認識できるように、凸形状を形成した操作面を有するようにしている。
【先行技術文献】
【特許文献】
【０００４】
【特許文献１】特開２０１３−０９７７６２号公報
【発明の概要】
【発明が解決しようとする課題】
【０００５】
上記特許文献１に記載の車両用機器操作装置では、押圧動作すべき場所を乗員が手指で見付けることができなかったり、押圧動作すべき場所と他の場所を乗員が間違えて操作してしまったりする場合、本来の押圧動作すべき場所を乗員が目視で確認したり手指を動作させて見付けたりしなければいけない。もっとも、停車中の車両であれば問題もないが、走行中の車両を乗員が運転している最中には安全性の観点で好ましいとは言えない。これは、例えば、オーディオ機器の音量を調整する等の複数でいくらかの時間を要しないと完了させられない操作の場合、特に顕著である。
【０００６】
本発明は、このような実情に鑑みてなされたものであり、その目的は、乗員が運転中に車両用機器の操作を行う上で安全性を向上することができる車両用機器操作装置を提供することにある。
【課題を解決するための手段】
【０００７】
上記課題を解決する車両用機器操作装置は、車両のシートに取り付けられ、流体が封入される変形体と、前記変形体の内圧を検出し、当該検出の結果に基づき、車両用機器の動作状態を調整するための乗員の操作である調整操作を検出することによって当該車両用機器の動作状態を調整する調整制御を実行する制御装置と、を備え、前記制御装置は、前記シート上に着座した乗員が体動で前記変形体を押圧することによって生じる内圧の変化に基づき、前記調整操作を検出可能に構成されている。
【０００８】
上記構成によれば、変形体をシートに取り付けているので、乗員は、わざわざ目視で確認しなくてもシート上に着座した状態で変形体の位置を容易に認識することができる。つまり、車両用機器の動作状態を調整する場合、乗員は、シート上に着座した状態でシートに取り付けられている変形体を押圧等して内圧が変化するように、体を動かせばよい。これにより、乗員は、走行中の車両を運転している最中であってもそのときの目線をそらさず手指を動作させることなく、車両用機器の動作状態を調整するように操作することができる。この場合、乗員は、例えば、車両用機器の動作状態として、オーディオ機器の音量の段階を複数段階上げたり、複数段階下げたり調整すべく、いくらかの時間を要する操作についても難なく完了させることができる。したがって、乗員が運転中に車両用機器の操作を行う上で安全性を向上することができる。
【０００９】
上記課題を解決する車両用機器操作装置は、前記変形体は、空気の給排に基づき内圧が増減することによって膨張又は収縮するように構成される空気袋であり、前記空気袋に空気を圧送する空気ポンプと、前記空気袋と前記空気ポンプとの間をそれぞれ接続する流路上に設けられるバルブと、当該流路上において前記空気袋の内圧を検出する圧力センサとを有してなる給排気装置を備え、前記制御装置は、前記圧力センサの検出結果に基づき、前記調整操作を検出可能に構成されていることが好ましい。
【００１０】
ここで、空気の給排に基づき膨張又は収縮するように構成される空気袋は、車両のシートであれば、シート上の乗員の良好な着座姿勢を確保及び維持する機能で用いられていたり、他の機能で既に実現されていたりもする。これは、空気袋に対して空気を給気するとともに、当該空気袋に充填された空気を排気するための給排気装置についても同様である。これにより、上記構成によれば、車両用機器操作装置の実現の際、他の機能の構成を流用や兼用することができる。したがって、車両用機器操作装置の実現にかかるコストや時間を低減するのに効果的である。
【００１１】
上記課題を解決する車両用機器操作装置は、乗員が発する音声を検出する音声検出部を備え、前記制御装置は、前記音声検出部の検出結果に基づき、前記調整制御を実行する状態を設定可能に構成されていることが好ましい。
【００１２】
上記構成によれば、乗員が音声を発することが車両用機器の動作状態の調整のトリガとなる機能を持たせることができるようになる。この機能は、例えば、車両用機器の動作状態を調整する変形体として、他の機能で用いられる変形体を兼用する場合、当該変形体の機能を、他の機能から車両用機器の動作状態を調整する機能に切り替えるためのトリガとして機能させることができる。また、この機能は、例えば、複数の車両用機器の動作状態を調整可能にする場合、音声の種類に基づき、動作状態の調整対象とする車両用機器を選択するためのトリガとして機能させることができる。いずれにしろ、乗員としては、音声を発すればよく、上述の如く、走行中の車両を運転している最中であってもそのときの目線をそらさず手指を動作させる必要がなく、安全性の向上を図るのに効果的である。
【００１３】
上記課題を解決する車両用機器操作装置は、前記変形体は、空気の給排に基づき内圧が増減することによって膨張又は収縮するように構成される空気袋であり、前記空気袋に空気を圧送する空気ポンプと、前記空気袋と前記空気ポンプとの間をそれぞれ接続する流路上に設けられるバルブと、当該流路上において前記空気袋の内圧を検出する圧力センサとを有してなる給排気装置を備え、前記制御装置は、前記圧力センサの検出結果に基づき、前記調整操作を検出可能に構成されているとともに、前記音声検出部の検出結果に基づき、前記調整制御を実行する状態を設定する際、前記空気袋に対する空気の給気を前記給排気装置に指示し、前記空気袋からの空気の排気を前記給排気装置に指示することによって前記調整制御を停止する状態を設定可能に構成されていることが好ましい。
【００１４】
上記構成によれば、乗員は、例えば、空気袋の位置を明確に認識できていない場合であっても、空気が給気されて空気袋が膨張することで、当該空気袋の位置を容易に認識できる。これと同時に、乗員は、空気袋が膨張することで、車両用機器の動作状態を調整可能であることも容易に認識できる。一方で、乗員は、空気袋が収縮することで、車両用機器の動作状態を調整可能でないことを容易に認識できる。これにより、乗員の調整操作の誤操作や勘違いの発生を抑制することができ、車両用機器操作装置の操作に対して乗員が消極的になってしまうことを抑制することができる。
【００１５】
上記課題を解決する車両用機器操作装置は、前記車両の走行状態を検出する車両状態検出センサを備え、前記制御装置は、前記車両状態検出センサの検出結果に基づき、旋回や急制動の走行状態を検出する間は前記調整操作の検出を前記調整制御に反映させないように構成されていることが好ましい。
【００１６】
例えば、旋回や急制動の走行状態の場合、乗員の意思とは関係なく体が動いてしまうこともある。この場合、例えば、変形体が押圧等されて内圧が変化してしまうと、乗員の意思とは関係なく車両用機器の動作状態を調整する乗員の調整操作が検出されてしまう。
【００１７】
その点、上記構成によれば、旋回や制動の走行状態が検出される間は乗員の調整操作の検出が調整制御に反映されないように制御装置によって制御される。これにより、乗員の意思とは関係なく車両用機器の動作状態が調整されることを抑制することができ、車両用機器操作装置の信頼性を向上することができる。
【発明の効果】
【００１８】
本発明によれば、乗員が運転中に車両用機器の操作を行う上で安全性を向上することができる。
【図面の簡単な説明】
【００１９】
【図１】車両用機器操作装置の概略構成図。
【図２】（ａ），（ｂ）は、同車両用機器操作装置についてその空気袋が取り付けられる位置を、乗員と関連付けて模式的に示す図。
【図３】同車両用機器操作装置についてその制御装置が実行する調整制御に関わる処理を示すフローチャート。
【図４】調整操作のための乗員の体動の様子を模式的に示す図。
【図５】乗員の調整操作に基づき、同空気袋の内圧が変化する様子を模式的に示す図。
【図６】別機能を有するシートの概略構成図。
【発明を実施するための形態】
【００２０】
以下、車両用機器操作装置の一実施形態について説明する。以下では、車両の前後方向を「前後方向」といい、車両の幅方向を「幅方向」といい、車両の上下方向を「上下方向」という。
【００２１】
図１に示すように、自動車などの車両のシート１は、シートクッション２と、このシートクッション２の後端部において傾動自在に設けられたシートバック３と、を備えている。
【００２２】
また、車両の床部４には、前後方向に延びる左右一対のロアレール５が設けられている。各ロアレール５には、これらの延伸方向に沿って延びる左右一対のアッパレール６が装着されている。各アッパレール６は、対応するロアレール５上を相対移動可能に構成されている。そして、シート１は、各ロアレール５と、各アッパレール６とが構成するシートスライド装置７の上方に支持される構成となっている。
【００２３】
また、床部４には、シート１の前方において、上下方向に延びる内装ユニット８が設けられている。内装ユニット８には、種々の計器類を有する図示しないインストルメントパネルや、走行中の車両を乗員ＣＭが操舵して運転するために握るハンドル９、車室内に対して音楽等を出力するためのオーディオ機器１０が設置されている。
【００２４】
より詳しくは、シート１のシートバック３は、幅方向の両サイド部３ａ，３ｂがそれぞれ前方に向かって膨出している。両サイド部３ａ，３ｂは、シート１上に着座した乗員ＣＭの良好な着座姿勢を確保及び維持することができるように、当該乗員ＣＭに対して幅方向、すなわち側面から密着するように構成されている。
【００２５】
また、シートバック３の内部には、空気が封入される複数（本実施形態では、２つ）の空気袋１１（１１ａ，１１ｂ）が取り付けられている。各空気袋１１ａ，１１ｂは、空気の給排に基づき内圧が増減することによって膨張又は収縮するように構成されている。各空気袋１１ａ，１１ｂは、両サイド部３ａ，３ｂに対応する位置に１つずつ取り付けられている。なお、本実施形態において、各空気袋１１ａ，１１ｂは変形体の一例である。
【００２６】
図１を前方（図１中右側）から見た図である図２（ａ）に示すように、乗員ＣＭの右側のサイド部３ａ（図中左側）には、右空気袋１１ａが取り付けられている。また、乗員ＣＭの左側のサイド部３ｂ（図中右側）には、左空気袋１１ｂが取り付けられている。各空気袋１１ａ，１１ｂは、体幹（胴体）ＣＭｂがシート１の幅方向の略中心に位置する中立位置の姿勢で、シート１上に着座した乗員ＣＭの骨盤ＣＭａよりも上方（胸部の側面の前鋸筋辺り）にそれぞれ配置されているとともに、当該乗員ＣＭの体幹ＣＭｂを幅方向、すなわち側面から挟むかたちで左右対称にそれぞれ配置されている。ここでは、乗員ＣＭとして標準的な大人を図示した。
【００２７】
図２（ａ）の収縮した状態に対して、図２（ｂ）に示すように、各空気袋１１ａ，１１ｂは、膨張した状態において、それぞれ対応する両サイド部３ａ，３ｂを介して、中立位置の姿勢でシート１上に着座した乗員ＣＭの体幹ＣＭｂに対して幅方向から密着するように構成されている。乗員ＣＭは、体幹ＣＭｂを大きく動かすことなく当該体幹ＣＭｂを左右に傾けることによって、両サイド部３ａ，３ｂに設けられた各空気袋１１ａ，１１ｂを押圧することができる。
【００２８】
すなわち、乗員ＣＭの右側のサイド部３ａは、乗員ＣＭの体幹ＣＭｂがその右側に傾けられるように動かされる体動を伴う場合、当該体幹ＣＭｂによって押さえ付けられる。これにより、サイド部３ａに対応する右空気袋１１ａは、乗員ＣＭの体動によって膨張した状態で押圧されるように構成されている。また、乗員ＣＭの左側のサイド部３ｂは、乗員ＣＭの体幹ＣＭｂがその左側に傾けられるように動かされる体動を伴う場合、当該体幹ＣＭｂによって押さえ付けられる。これにより、サイド部３ｂに対応する左空気袋１１ｂは、乗員ＣＭの体動によって膨張した状態で押圧されるように構成されている。
【００２９】
このように乗員ＣＭが体動によって膨張した状態の右空気袋１１ａを押圧する場合、右空気袋１１ａの内圧は、膨張した状態の内圧からさらに増加変化し、その一方で左空気袋１１ｂの内圧は、膨張した状態の内圧から減少変化する。また、乗員ＣＭが体動によって左空気袋１１ｂを押圧する場合、左空気袋１１ｂの内圧は、膨張した状態の内圧からさらに増加変化し、その一方で右空気袋１１ａの内圧は、膨張した状態の内圧から減少変化する。すなわち、本実施形態では、乗員ＣＭの体幹ＣＭｂの体動と、膨張した状態の各空気袋１１ａ，１１ｂの内圧の変化との間に、定量的な関係を見出すことができる。これにより、各空気袋１１ａ，１１ｂの内圧の変化を検出することによって、乗員ＣＭが体動によって各空気袋１１ａ，１１ｂを押圧しているか否か、さらには乗員ＣＭが体動によって各空気袋１１ａ，１１ｂの何れを押圧しているかの乗員の体動の状態を検出できるように構成されている。
【００３０】
図１の説明に戻り、シート１には、各空気袋１１ａ，１１ｂに対して空気を給気（充填）するとともに、各空気袋１１ａ，１１ｂに充填された空気を排気するための給排気装置２０が搭載されている。給排気装置２０は、各空気袋１１ａ，１１ｂに空気を圧送する空気ポンプ２１を備えている。各空気袋１１ａ，１１ｂと空気ポンプ２１との間をそれぞれ接続する流路Ｌには、逆止弁２２、給気バルブ２３（２３ａ，２３ｂ）、排気バルブ２４、及び圧力センサ２５（２５ａ，２５ｂ）が設けられている。
【００３１】
右空気袋１１ａに連通する右支線Ｌａ上には、右給気バルブ２３ａが設けられている。また、左空気袋１１ｂに連通する左支線Ｌｂ上には、左給気バルブ２３ｂが設けられている。
【００３２】
右支線Ｌａ上であって、右空気袋１１ａと、右給気バルブ２３ａとの間には、右圧力センサ２５ａが設けられている。また、左支線Ｌｂ上であって、左空気袋１１ｂと、左給気バルブ２３ｂとの間には、左圧力センサ２５ｂが設けられている。右圧力センサ２５ａは、右空気袋１１ａの内圧として、右空気袋１１ａと、右給気バルブ２３ａとの間の右支線Ｌａの圧力を検出し、当該圧力に応じた出力信号を出力する。左圧力センサ２５ｂは、左空気袋１１ｂの内圧として、左空気袋１１ｂと、左給気バルブ２３ｂとの間の左支線Ｌｂの圧力を検出し、当該圧力に応じた出力信号を出力する。各圧力センサ２５ａ，２５ｂの出力信号は、車両の車室内に搭載される制御装置２６に対してそれぞれ入力されるように構成されている。
【００３３】
そして、給排気装置２０において、空気ポンプ２１、各給気バルブ２３ａ，２３ｂ、及び排気バルブ２４は、各圧力センサ２５ａ，２５ｂの出力信号に基づき、それぞれ制御装置２６によって、その作動が制御される。
【００３４】
このように、各空気袋１１ａ，１１ｂと、給排気装置２０とを備え、各空気袋１１ａ，１１ｂのそれぞれの内圧を示す値である内圧値Ｐａ，Ｐｂの検出結果に基づき、シート１上での乗員ＣＭの体幹ＣＭｂの体動の状態を制御装置２６によって検出する車両用機器操作装置３０が構成されている。
【００３５】
そして、制御装置２６は、シート１上での乗員ＣＭの体動の状態に基づき、乗員ＣＭが体動によって各空気袋１１ａ，１１ｂを押圧する動作を乗員の調整操作として検出し、オーディオ機器１０の動作状態として、音量の調整を指示する指示信号Ｓ＿ｖｏｌを出力する。制御装置２６は、乗員の調整操作として、右空気袋１１ａを押圧する動作を検出する場合、オーディオ機器１０の動作状態として、音量の段階を１段階上げる（ｖｏｌ：＋（プラス）１）調整を指示する指示信号Ｓ＿ｖｏｌを出力する。これに対して、制御装置２６は、乗員の調整操作として、左空気袋１１ｂを押圧する動作を検出する場合、音量の段階を１段階下げる（ｖｏｌ：−（マイナス）１）調整を指示する指示信号Ｓ＿ｖｏｌを出力する。制御装置２６の指示信号Ｓ＿ｖｏｌは、オーディオ機器１０に対して入力されるように構成されている。
【００３６】
また、本実施形態の車両用機器操作装置３０は、乗員ＣＭが発する音声を検出するマイク１２を備えている。マイク１２は、車室内であって、内装ユニット８のハンドル９のコラム部９ａに設置されている。マイク１２には、車両を運転する乗員ＣＭの音声を検出し易くなるように指向性を有するマイクが用いられる。マイク１２は、乗員ＣＭの音声を検出し、当該音声に応じた出力信号を出力する。マイク１２の出力信号によっては、乗員ＣＭの音声による指示として、例えば、「オーディオ」、「音量調整」等のオーディオ機器１０の音量調整の実行を示す調整指示が検出されるとともに、当該調整指示とは異なる指示、例えば、「調整停止」、「終了」等のオーディオ機器１０の音量調整の停止を示す終了指示が検出される。マイク１２の出力信号は、各圧力センサ２５ａ，２５ｂの出力信号と同様、制御装置２６に対して入力されるように構成されている。本実施形態において、マイク１２は音声検出部の一例である。
【００３７】
また、本実施形態の車両用機器操作装置３０は、車両の走行状態を検出する加速度センサ及びジャイロセンサ等の車両状態検出センサ１３を備えている。車両状態検出センサ１３は、所定位置に車載され、例えば、車両の走行中に生じる横加速度、ロール角速度、ピッチ角速度等の物理量ｊを検出し、当該物理量ｊに応じた出力信号を出力する。車両状態検出センサ１３の出力信号によっては、車両の走行状態として、例えば、車両が旋回や急制動の走行状態が検出される。車両状態検出センサ１３の出力信号は、各圧力センサ２５ａ，２５ｂ等の出力信号と同様、制御装置２６に対して入力されるように構成されている。
【００３８】
そして、制御装置２６は、オーディオ機器１０の音量を調整するためのトリガとして、乗員ＣＭの音声Ｖを検出し、当該検出の結果に基づき、シート１上での乗員ＣＭの体動の状態の検出、すなわち乗員の調整操作の検出に関わる処理の実行を開始するように構成されている。また、制御装置２６は、乗員の調整操作を検出する過程で、物理量ｊを検出し、当該検出の結果に基づき、乗員の調整操作の検出を有効にするか無効にするか有効性を判定するように構成されている。
【００３９】
本実施形態の制御装置２６は、図示しない中央処理装置（ＣＰＵ（Central Processing Unit））及びメモリをそれぞれ備えており、メモリに記憶されたプログラムをＣＰＵが実行することによって、乗員の調整操作が検出されるとともに、オーディオ機器１０の音量の調整の指示が制御される。制御装置２６は、メモリに記憶されたプログラムをＣＰＵが所定周期で繰り返し実行することで実現される処理の一部として、オーディオ機器１０の音量を調整する以下の処理を実行する。
【００４０】
図３に、制御装置２６の処理手順を示す。図３に示す処理は、イグニッション信号（オン）が入力された後の車両始動後、マイク１２を通じて音声Ｖを検出可能な状態で実行される。
【００４１】
図３に示す一連の処理において、制御装置２６は、マイク１２の出力信号として検出される音声Ｖを取り込み、当該音声Ｖに基づき、調整指示を検出するか否かを判定する（ステップＳ１０）。制御装置２６は、乗員の調整指示を検出しないと判定する場合（ステップＳ１０：ＮＯ）、ステップＳ１０の処理に戻り、乗員の調整指示を検出と判定するまでの間、ステップＳ１０の処理を繰り返し実行する。
【００４２】
一方、制御装置２６は、乗員の調整指示を検出と判定する場合（ステップＳ１０：ＹＥＳ）、オーディオ機器１０の音量の調整制御（後述のステップＳ１４〜Ｓ２０の処理）を実行する状態を設定すべく、各空気袋１１ａ，１１ｂに対する空気の給気を開始する（ステップＳ１１）。
【００４３】
ステップＳ１１にて、制御装置２６は、空気ポンプ２１、各給気バルブ２３ａ，２３ｂ、及び排気バルブ２４、すなわち給排気装置２０の作動を開始させる。この場合、制御装置２６は、各圧力センサ２５ａ，２５ｂの出力信号として検出される各内圧値Ｐａ，Ｐｂを取り込み、当該各内圧値Ｐａ，Ｐｂを所定の目標値として設定される閾値Ｐｘに一致させるべく、空気ポンプ２１、各給気バルブ２３ａ，２３ｂ及び排気バルブ２４の開閉を制御する。閾値Ｐｘは、両サイド部３ａ，３ｂを介して各空気袋１１ａ，１１ｂが乗員に対して密着しているとして実験的に求められる範囲の値が設定されている。本実施形態において、両サイド部３ａ，３ｂを介して各空気袋１１ａ，１１ｂが乗員に対して密着しているとは、乗員を側面からいくらかの力で押圧している状態のことである。
【００４４】
なお、制御装置２６は、右空気袋１１ａに空気を充填する際、右給気バルブ２３ａを開放するとともに、排気バルブ２４を閉塞した状態で、空気ポンプ２１を作動させる。これと同時に、制御装置２６は、右空気袋１１ａの内圧値Ｐａを検出する。また、制御装置２６は、左空気袋１１ｂに空気を充填する際、左給気バルブ２３ｂを開放するとともに、排気バルブ２４を閉塞した状態で、空気ポンプ２１を作動させる。これと同時に、制御装置２６は、左空気袋１１ｂの内圧値Ｐｂを検出する。また、制御装置２６は、各空気袋１１ａ，１１ｂから空気を排気する際、各給気バルブ２３ａ，２３ｂ及び排気バルブ２４をそれぞれ開放する。
【００４５】
そして、制御装置２６は、給排気装置２０の作動を開始させた後、各内圧値Ｐａ，Ｐｂが共に閾値Ｐｘに一致する（Ｐａ及びＰｂ＝Ｐｘ）か否かを判定する（ステップＳ１２）。この処理は、各内圧値Ｐａ，Ｐｂに基づき、各空気袋１１ａ，１１ｂに空気の充填が完了したか否かを判定するためのものである。制御装置２６は、各内圧値Ｐａ，Ｐｂが共に閾値Ｐｘに一致しない場合（ステップＳ１２：ＮＯ）、各空気袋１１ａ，１１ｂに空気の充填が未完了と判定し、ステップＳ１１の処理に戻り、各空気袋１１ａ，１１ｂに空気の充填が完了と判定するまでの間、ステップＳ１１，Ｓ１２の処理を繰り返し実行する。
【００４６】
一方、制御装置２６は、各内圧値Ｐａ，Ｐｂが共に閾値Ｐｘに一致する場合（ステップＳ１２：ＹＥＳ）、各空気袋１１ａ，１１ｂに空気の充填が完了と判定し、各空気袋１１ａ，１１ｂに対する空気の給気を停止する（ステップＳ１３）。
【００４７】
ステップＳ１３にて、制御装置２６は、各給気バルブ２３ａ，２３ｂ、及び排気バルブ２４をそれぞれ閉塞した状態で、空気ポンプ２１の作動を停止させるように、給排気装置２０を制御する。この場合、制御装置２６は、オーディオ機器１０の図示しない表示面を点滅させる等して、各空気袋１１ａ，１１ｂに空気の充填の完了を示す報知を指示する。なお、本実施形態において、制御装置２６は、スピーカー等の機器の音や音声の出力を通じて、各空気袋１１ａ，１１ｂに空気の充填の完了を報知してもよい。
【００４８】
続いて、制御装置２６は、受付時間Ｔａが予め定めた時間である閾時間Ｔｙの経過前（Ｔａ＜Ｔｙ）か否かを判定する（ステップＳ１４）。ステップＳ１４にて、制御装置２６は、ステップＳ１３の処理を完了してから所定周期毎に受付時間Ｔａを計数し、当該計数の結果を判定する。
【００４９】
そして、制御装置２６は、受付時間Ｔａが閾時間Ｔｙの経過と判定する場合（ステップＳ１４：ＮＯ）、オーディオ機器１０の音量の調整制御を停止する状態を設定すべく、各空気袋１１ａ，１１ｂから空気の排気を開始し（ステップＳ２２）、図３に示す一連の処理を一旦終了する。その後、制御装置２６は、乗員の調整指示を検出と判定するまでの間、ステップＳ１０の処理を繰り返し実行する状態へと移行する。
【００５０】
一方、制御装置２６は、受付時間Ｔａが閾時間Ｔｙの経過前と判定する場合（ステップＳ１４：ＹＥＳ）、内圧値Ｐａ又は内圧値Ｐｂが閾値Ｐｙを超える（Ｐａ又はＰｂ＞Ｐｙ）か否かを判定する（ステップＳ１５）。この処理は、各内圧値Ｐａ，Ｐｂに基づき、各空気袋１１ａ，１１ｂの内圧が膨張した状態の内圧である閾値Ｐｘから増加変化したか否か、すなわち乗員の体動の有無を検出するためのものである。
【００５１】
ステップＳ１５にて、制御装置２６は、内圧値Ｐａが閾値Ｐｙを超える場合、乗員の体動の有りとともに、乗員の調整操作として、右空気袋１１ａを押圧する動作を検出する。これに対して、制御装置２６は、内圧値Ｐｂが閾値Ｐｙを超える場合、乗員の体動の有りとともに、乗員の調整操作として、左空気袋１１ｂを押圧する動作を検出する。閾値Ｐｙは、乗員が体動によって各空気袋１１ａ，１１ｂを押圧しているとして実験的に求められる範囲の値が設定されている。
【００５２】
そして、制御装置２６は、内圧値Ｐａ又は内圧値Ｐｂの何れもが閾値Ｐｙを超えないと判定する場合（ステップＳ１５：ＮＯ）、乗員の調整操作を検出しないと判定し、ステップＳ１４の処理に戻り、受付時間Ｔａが経過する、又は乗員の調整操作を検出と判定するまでの間、ステップＳ１４，Ｓ１５の処理を繰り返し実行する。
【００５３】
一方、制御装置２６は、内圧値Ｐａ又は内圧値Ｐｂが閾値Ｐｙを超えると判定する場合（ステップＳ１５：ＹＥＳ）、乗員の調整操作を検出すると判定し、当該調整操作が乗員の意思か否かを判定する（ステップＳ１６）。この処理は、ステップＳ１５で検出した調整操作が、乗員の意思で体を動かして検出されたのか、旋回や急制動の走行状態によって乗員の意思とは関係なく体が動いて検出されたのかを判定するためのものである。
【００５４】
ステップＳ１６にて、制御装置２６は、車両状態検出センサ１３の出力信号として検出される物理量ｊを取り込み、当該物理量ｊに基づき、車両の走行状態を検出する。この場合、制御装置２６は、車両の走行状態として、旋回や急制動の走行状態を検出しない場合、ステップＳ１５で判定した体動が乗員の意思で体を動かしたと判定する。これに対して制御装置２６は、車両の走行状態として、旋回や急制動の走行状態を検出する場合、ステップＳ１５で検出した調整操作が乗員の意思とは関係なく体が動いたと判定する。
【００５５】
そして、制御装置２６は、旋回や急制動の走行状態を検出し、調整操作が乗員の意思でないと判定する場合（ステップＳ１６：ＮＯ）、当該調整操作を以後の処理、すなわち調整制御に反映させないで無効とする。その後、制御装置２６は、ステップＳ１４の処理に戻り、それから受付時間Ｔａが経過する、又は乗員の調整操作を検出と判定するまでの間、ステップＳ１４，Ｓ１５の処理を繰り返し実行する。
【００５６】
一方、制御装置２６は、旋回や急制動の走行状態を検出しないで、調整操作が乗員の意思と判定する場合（ステップＳ１６：ＹＥＳ）、当該調整操作を以後の処理、すなわち調整制御に反映させるように有効とする。その後、制御装置２６は、乗員の調整操作の継続時間Ｔｃが予め定めた時間である閾時間Ｔｘを経過した（Ｔｃ＞Ｔｘ）か否かを判定する（ステップＳ１７）。この処理は、ステップＳ１５で増加変化していると判定した内圧値が閾値Ｐｙを超えた状態を継続する結果、乗員の調整操作が継続的な連続操作であるか否かを判定するためのものである。
【００５７】
ステップＳ１７にて、制御装置２６は、ステップＳ１６を通じて調整操作が乗員の意思と判定してから所定周期毎に継続時間Ｔｃを計数し、ステップＳ１５で増加変化していると判定した内圧値が閾値Ｐｙを超えた状態を継続する間、当該継続時間Ｔｃを計数した結果を判定する。
【００５８】
そして、制御装置２６は、継続時間Ｔｃが閾時間Ｔｘを経過と判定する場合（ステップＳ１７：ＹＥＳ）、乗員の調整操作が連続操作と判定し、オーディオ機器１０の音量の調整として、当該調整を継続的に連続で指示するように指示信号Ｓ＿ｖｏｌを出力する（ステップＳ１８）。
【００５９】
ステップＳ１８にて、制御装置２６は、乗員の調整操作として、右空気袋１１ａを押圧する動作を検出している場合、音量の段階を上げるように指示信号Ｓ＿ｖｏｌを出力する。これに対して、制御装置２６は、乗員の調整操作として、左空気袋１１ｂを押圧する動作を検出している場合、音量の段階を下げるように指示信号Ｓ＿ｖｏｌを出力する。
【００６０】
続いて、制御装置２６は、ステップＳ１８で判定した連続操作が途切れたか否かを判定する（ステップＳ１９）。ステップＳ１９にて、制御装置２６は、ステップＳ１５で増加変化していると判定した内圧値に基づき、当該内圧値が閾値Ｐｙ以下であるか否かを判定する。
【００６１】
そして、制御装置２６は、ステップＳ１５で増加変化していると判定した内圧値が閾値Ｐｙを超えていて、連続操作が途切れていないと判定する場合（ステップＳ１９：ＮＯ）、ステップＳ１８の処理に戻り、連続操作が途切れたと判定するまでの間、ステップＳ１８，Ｓ１９の処理を繰り返し実行する。このように、連続操作が途切れないで継続される場合には、繰り返し実行されるステップＳ１８，Ｓ１９の処理を通じて、音量の段階を複数段階上げたり、複数段階下げたりするように音量の調整が連続で指示される。
【００６２】
一方、制御装置２６は、ステップＳ１５で増加変化していると判定した内圧値が閾値Ｐｙ以下で、連続操作が途切れたと判定する場合（ステップＳ１９：ＹＥＳ）、指示信号Ｓ＿ｖｏｌの出力を停止し、オーディオ機器１０の音量の調整を停止する（ステップＳ２０）。その後、制御装置２６は、ステップＳ１４の処理に戻り、それから受付時間Ｔａが経過する、又は乗員の調整操作を検出と判定するまでの間、ステップＳ１４，Ｓ１５の処理を繰り返し実行する。
【００６３】
また、制御装置２６は、継続時間Ｔｃが閾時間Ｔｘを経過しないと判定する場合（ステップＳ１７：ＮＯ）、乗員の調整操作が連続操作でない単発操作と判定し、オーディオ機器１０の音量の調整として、当該調整を断続的に単発で指示するように指示信号Ｓ＿ｖｏｌを出力する（ステップＳ２１）。ステップＳ２１にて、制御装置２６は、ステップＳ１８と同様、指示信号Ｓ＿ｖｏｌを出力する。この場合、制御装置２６は、指示信号Ｓ＿ｖｏｌの出力を単発で停止し、オーディオ機器１０の音量の調整を停止する（ステップＳ１９）。その後、制御装置２６は、ステップＳ１４の処理に戻り、それから受付時間Ｔａが経過する、又は乗員の調整操作を検出と判定するまでの間、ステップＳ１４，Ｓ１５の処理を繰り返し実行する。このように、乗員の調整操作が単発操作の場合には、単発で実行されるステップＳ２１の処理を通じて、音量の段階を１段階上げたり、１段階下げたりするように音量の調整が単発で指示される。この場合、乗員の調整操作の単発操作が連続することによって、単発で実行されるステップＳ２１の処理が繰り返し実行されることによって、音量の段階が１段階ずつ複数段階上げたり、複数段階下げたりするように音量の調整が単発で繰り返し指示される。
【００６４】
なお、図３に示す一連の処理の間、制御装置２６は、音声Ｖに基づき、終了指示を検出する場合、何れの処理の実行中であっても、ステップＳ２２の処理に基づき、オーディオ機器１０の音量の調整制御を停止する状態を設定すべく、各空気袋１１ａ，１１ｂから空気の排気を開始するように構成されている。
【００６５】
以下、本実施形態の作用及び効果について説明する。
（１）本実施形態によれば、各空気袋１１ａ，１１ｂをシート１に取り付けているので、乗員は、わざわざ目視で確認しなくてもシート１上に着座した状態で各空気袋１１ａ，１１ｂの位置を容易に認識することができる。つまり、オーディオ機器１０の音量の段階を調整する場合、乗員は、シート１上に着座した状態でシート１に取り付けられている各空気袋１１ａ，１１ｂを押圧等して内圧が変化するように、体を動かせばよい。
【００６６】
例えば、図４に示すように、各空気袋１１ａ，１１ｂに空気の充填が完了した状態で、乗員ＣＭの体幹ＣＭｂがその左側（図４中右側）に傾けられるように動かされる体動を伴う場合、当該体幹ＣＭｂによって左空気袋１１ｂが膨張した状態で押圧される。これに対して、右空気袋１１ａが乗員ＣＭの体幹ＣＭｂの密着状態から解放され、膨張した状態から若干膨らむようになる。
【００６７】
この場合、図５に、一点鎖線で示すように、左空気袋１１ｂの内圧値Ｐｂの変化態様は、ほぼ零値で推移する空気が充填されていない期間Ａを経るとともに、閾値Ｐｘで推移する空気の充填が完了した期間Ｂを経て、膨張した状態で押圧されることによって、閾値Ｐｙを超えた状態まで増加変化する。これに対して、同図中、実線で示すように、右空気袋１１ａの内圧値Ｐａの変化態様は、ほぼ零値で推移する空気が充填されていない期間Ａを経るとともに、閾値Ｐｘで推移する空気の充填が完了した期間Ｂを経て、膨張した状態から若干膨らむことによって、閾値Ｐｘを下回るように減少変化する。
【００６８】
この内圧値Ｐｂが閾値Ｐｙを超えた状態まで増加変化することは、制御装置２６のステップＳ１５の処理において、当該内圧値Ｐｂに基づき、乗員の調整操作として検出される。この乗員の調整操作が有効な場合、制御装置２６のステップＳ１８又はステップＳ２１の処理において、当該調整操作が連続操作であるか単発操作であるかに基づき、オーディオ機器１０の音量の段階の調整が制御される。
【００６９】
すなわち、図５に、一点鎖線で示すように、左空気袋１１ｂの内圧値Ｐｂの変化態様が、閾値Ｐｙを超えた状態まで増加変化した後、当該閾値Ｐｙを超えた状態で閾時間Ｔｘを経過する場合、乗員の調整操作が連続操作と判定され、当該連続操作が途切れるまでの期間Ｃの間、音量の段階が連続的に複数段階下げられる。この場合、同図中、実線で示すように、右空気袋１１ａの内圧値Ｐａの変化態様は、閾時間Ｔｘとともに、期間Ｃの間、閾値Ｐｘを下回る状態である。
【００７０】
なお、左空気袋１１ｂの内圧値Ｐｂの変化態様が、閾値Ｐｙを超えた状態まで増加変化した後、閾時間Ｔｘの経過前に当該閾値Ｐｙを下回る状態となる場合、乗員の調整操作が単発操作と判定され、音量の段階が単発で１段階下げられる。
【００７１】
これにより、乗員は、走行中の車両を運転している最中であってもそのときの目線をそらさず手指を動作させることなく、オーディオ機器１０の音量を調整するように操作することができる。この場合、乗員は、オーディオ機器１０の音量の段階を複数段階上げたり、複数段階下げたり調整すべく、いくらかの時間を要する操作についても難なく完了させることができる。したがって、乗員が運転中にオーディオ機器１０の操作を行う上で安全性を向上することができる。
【００７２】
（２）空気の給排に基づき膨張又は収縮するように構成される空気袋は、車両のシートであれば、シート上の乗員の良好な着座姿勢を確保及び維持する機能で用いられていたり、他の機能で既に実現されていたりもする。これは、空気袋に対して空気を給気するとともに、当該空気袋に充填された空気を排気するための給排気装置についても同様である。
【００７３】
例えば、図６に示すように、別機能を有するシート４１として、シートクッション４２と、このシートクッション４２の後端部において傾動自在に設けられたシートバック４３とを備えるものもある。シートクッション４２やシートバック４３の内部の所定の位置には、複数の空気袋５０（５１ａ，５１ｂ，５２ａ，５２ｂ，５３ａ，５３ｂ，５４）が取り付けられている。特に、両サイド部４３ａ，４３ｂには、それぞれ１つずつサイドサポート用の各空気袋５１ａ，５１ｂが取り付けられている。なお、シート４１には、空気袋５０のそれぞれに対して空気を給排するための図示しない給排気装置も搭載される。
【００７４】
これにより、本実施形態の車両用機器操作装置３０の実現の際、他の機能であるサイドサポート用の構成である各空気袋５１ａ，５１ｂを本実施形態の各空気袋１１ａ，１１ｂとして流用又は兼用することができる。また、各空気袋５１ａ，５１ｂを流用又は兼用しないでも、シート４１に搭載される給排気装置を流用又は兼用することができる。したがって、車両用機器操作装置３０の実現にかかるコストや時間を低減するのに効果的である。
【００７５】
（３）本実施形態では、乗員が調整指示に対応する音声を発することによってオーディオ機器１０の音量の調整のトリガとなる機能を持たせるようにしている。
この機能は、例えば、本実施形態の各空気袋１１ａ，１１ｂとして、上記空気袋５１ａ，５１ｂを兼用する場合、当該各空気袋５１ａ，５１ｂの機能を、サイドサポートの機能からオーディオ機器１０の音量を調整する機能に切り替えるためのトリガとして機能させることができる。これにより、乗員としては、音声を発すればよく、上述の如く、走行中の車両を運転している最中であってもそのときの目線をそらさず手指を動作させる必要がなく、安全性の向上を図るのに効果的である。
【００７６】
（４）オーディオ機器１０の音量の調整制御を実行する状態は、制御装置２６のステップＳ１０の処理において、調整指示を検出する場合に設定される。オーディオ機器１０の音量の調整制御を実行する状態が設定されると、制御装置２６のステップＳ１１の処理において、各空気袋１１ａ，１１ｂに対する空気の給気が給排気装置２０に指示される。また、オーディオ機器１０の音量の調整制御を停止する状態が設定されると、制御装置２６のステップＳ２２の処理において、各空気袋１１ａ，１１ｂからの空気の排気が給排気装置２０に指示される。
【００７７】
すなわち、本実施形態によれば、乗員は、例えば、各空気袋１１ａ，１１ｂの位置を明確に認識できていない場合であっても、空気が給気されて各空気袋１１ａ，１１ｂが膨張して体に密着することで、当該各空気袋１１ａ，１１ｂの位置を容易に認識できる。これと同時に、乗員は、各空気袋１１ａ，１１ｂが体に密着することで、オーディオ機器１０の音量を調整可能であることも容易に認識できる。一方で、乗員は、各空気袋１１ａ，１１ｂが収縮して体に密着しなくなることで、オーディオ機器１０の音量を調整可能でないことを容易に認識できる。これにより、乗員の調整操作の誤操作や勘違いの発生を抑制することができ、車両用機器操作装置３０の操作に対して乗員が消極的になってしまうことを抑制することができる。
【００７８】
（５）本実施形態によれば、制御装置２６のステップＳ１６の処理において、旋回や制動の走行状態が検出されることに基づき、調整操作が乗員の意思でないと判定される間は、当該調整操作の検出が調整制御に反映されないように無効とされる。これにより、乗員の意思とは関係なくオーディオ機器１０の音量が調整されることを抑制することができ、車両用機器操作装置３０の信頼性を向上することができる。
【００７９】
なお、上記実施形態は、これを適宜変更した以下の形態にて実施することもできる。
・図３の処理では、ステップＳ１６の処理を削除してもよい。すなわち、乗員の調整操作を検出する場合には、とりあえずはオーディオ機器１０の音量の調整に反映させるように構成してもよい。
【００８０】
・旋回や急制動の走行状態では、乗員の姿勢が不安定となり、その影響が各内圧値Ｐａ，Ｐｂの増減として現れる。これを利用して、図３のステップＳ１６では、車両の走行状態を検出する替わりに、各内圧値Ｐａ，Ｐｂの増減の変動態様を検出し、当該検出の結果に基づき、ステップＳ１５で検出した調整操作が、乗員の意思であるか否かを判定するようにしてもよい。この場合、例えば、各内圧値Ｐａ，Ｐｂの増減の変動幅が閾値を超えると、ステップＳ１５で検出した調整操作が、乗員の意思でないと判定したりすればよい。
【００８１】
・旋回や急制動の走行状態の検出は、例えば、車両のブレーキの状態を監視や制御するブレーキ制御装置から情報を得る等、他の制御装置から情報を得ることによって実現してもよい。
【００８２】
・各空気袋１１ａ，１１ｂに対する空気の給気は、車両のイグニッション信号（オン）の入力を検出することに基づき開始されるようにしてもよい。すなわち、各空気袋１１ａ，１１ｂに空気の充填が完了した状態で、図３のステップＳ１０の処理を実行する状況が到来するようにしてもよい。この場合、各空気袋１１ａ，１１ｂからの空気の排気は、車両のイグニッション信号（オフ）の入力を検出することに基づき開始されるようにすればよい。これにより、図３に示す処理からステップＳ１１〜Ｓ１３の処理を削除し、これら削除する処理については他のタイミングで実行させたり他の制御装置で処理を担当させたりすることができ、オーディオ機器１０の音量の調整制御の実行中の制御装置２６の処理負担を軽減するのに効果的である。
【００８３】
・各空気袋１１ａ，１１ｂの給排をイグニッション信号に関連させる上記変形例を採用する場合、図６に示したように、シートバック４３に取り付けられたサイドサポート用の各空気袋１１ａ，１１ｂや、乗員の肩部のサポート用の各空気袋５２ａ，５２ｂを、上記実施形態の各空気袋１１ａ，１１ｂとして兼用することができる。これは、シートクッション４２に取り付けられた乗員の下半身部のサポート用の各空気袋５３ａ，５３ｂや、シートバック４３に取り付けられたランバーサポート用の空気袋５４についても同様である。この場合には、空気袋５０のそれぞれに対して空気を給排するために搭載されている給排気装置を兼用することができ、車両用機器操作装置３０として、給排気装置を必須構成としなくてもよい場合があり、汎用性を向上するのに効果的である。
【００８４】
・図３のステップＳ１０では、乗員の音声を検出する替わりに、例えば、乗員が体を左右に傾ける等、所定の乗員の体動に基づき、調整指示を検出するか否かを判定するようにしてもよい。これにより、乗員が体を動作させることによってオーディオ機器１０の音量の調整のトリガとなる機能を持たせることができる。この場合、上記実施形態の如く、乗員の音声を検出するのと同様、乗員としては、体を動作させればよく、安全性の向上を図るのに効果的である。
【００８５】
・上記実施形態は、オーディオ機器１０以外の車両用機器の動作状態として、例えば、車両のドアに設けられるサイドウィンドウの開度や、車両のルーフに設けられるサンルーフの開度や、シート１のスライド位置や、車両のフロントウィンドウに設けられるワイパーの速度や、サイドミラーの角度の調整に適用してもよい。これらは、それぞれ単独で適用してもよいし、複数の車両用機器の動作状態を調整可能に適用してもよい。複数の車両用機器の動作状態を調整可能に適用する場合、調整指示では、何れの車両用機器の動作状態を調整するのか、調整対象とする車両用機器を判定可能に構成してもよい。この場合、乗員が調整指示に対応する音声を発することによって調整対象とする車両用機器の選択のトリガとして機能させることができる。これにより、調整対象とする車両用機器を選択する場合において、乗員としては、音声を発すればよく、上述の如く、走行中の車両を運転している最中であってもそのときの目線をそらさず手指を動作させる必要がなく、安全性の向上を図るのに効果的である。
【００８６】
・マイク１２を設置する位置は、乗員の音声を検出可能な位置であれば、変更してもよい。例えば、マイク１２は、ハンドル９に設置されていたり、車両のルーフの車室内側に設置されていたりしてもよい。
【００８７】
・上記実施形態では、各空気袋１１ａ，１１ｂの替わりに、空気以外のガス等の気体が封入される袋等の変形体を用いるようにしてもよい。また、各空気袋１１ａ，１１ｂの替わりには、水等の流体が封入される袋等の変形体を用いるようにしてもよい。この場合には、給排気装置２０の替わりに、水等の液体を給排する装置が用いられる。
【００８８】
・図３の処理では、ステップＳ１１〜Ｓ１３の処理の替わりに、各内圧値Ｐａ，Ｐｂの増減の変動態様を検出し、当該検出の結果に基づき、各空気袋１１ａ，１１ｂが乗員の体に密着したか否かを判定するようにしてもよい。この場合、各内圧値Ｐａ，Ｐｂの増減の変動幅が閾値を超えないで安定すると、各空気袋１１ａ，１１ｂに空気の充填が完了したと判定するようにすればよい。これと同様、図３のステップＳ１５やステップＳ１９の処理では、各内圧値Ｐａ，Ｐｂの増減の変動態様として変動幅（変化量）を検出し、その変動幅に基づき、乗員の調整操作を検出するようにしてもよい。
【００８９】
・各空気袋１１ａ，１１ｂを取り付ける位置は、乗員が体動によって押圧可能な位置であれば、変更してもよい。例えば、各空気袋１１ａ，１１ｂは、上記実施形態に対して上下方向にずらした位置に取り付けられていてもよい。その他、各空気袋１１ａ，１１ｂは、シートクッション２の幅方向の両側（図６の各空気袋５３ａ，５３ｂに対応する位置）に取り付けられていてもよい。この場合、乗員が体のうち、下半身部（腿辺り）を左右に傾ける動作によって各空気袋１１ａ，１１ｂを押圧可能である。また、各空気袋１１ａ，１１ｂは、シートバック３の上方の両側（図６の各空気袋５２ａ，５２ｂに対応する位置）に取り付けられていてもよい。この場合、乗員が体のうち、肩部を左右に傾ける動作によって各空気袋１１ａ，１１ｂを押圧可能である。
【００９０】
・各空気袋１１ａ，１１ｂは、左右の何れか一の空気袋で構成するようにしてもよい。この場合であっても、乗員の体動によって上記一の空気袋の内圧値の増減を検出することができるので、例えば、乗員が上記一の空気袋を押圧する内圧値の増加変化で音量を上げる、乗員が上記一の空気袋を開放する内圧値の減少変化で音量を下げる等、オーディオ機器１０の音量を調整することができる。また、例えば、上記一の空気袋は、シートバック３の略中央（図６の空気袋５４に対応する位置）に取り付けられるようにしてもよい。この場合、乗員が体を前後に傾ける動作によって上記一の空気袋の内圧値の増減を検出することができるので、例えば、乗員が体を後方に傾けて上記一の空気袋を押圧する内圧値の増加変化で音量を上げる、乗員が体を前方に傾けて上記一の空気袋を開放する内圧値の減少変化で音量を下げる等、オーディオ機器１０の音量を調整することができる。
【００９１】
・各空気袋１１ａ，１１ｂは、シートバック３（シート１）の内部ではなく、シート１上に乗員が着座する側である外部に別体で取り付けられていてもよい。
・各空気袋１１ａ，１１ｂは、膨張した状態で、乗員が体を左右に傾けることによって押圧可能であれば、中立位置の姿勢でシート１上に着座した乗員に対して密着又は接触しないように構成されていてもよい。
【００９２】
・各圧力センサ２５ａ，２５ｂの替わりに、流路Ｌで、空気ポンプ２１と、各給気バルブ２３ａ，２３ｂとの間に一の圧力センサを設けるようにしてもよい。この場合、各給気バルブ２３ａ，２３ｂの何れかを開放するとともに、排気バルブ２４を閉塞した状態で、各空気袋１１ａ，１１ｂの内圧を検出すればよい。これにより、圧力センサの数を減らすことができ、部品点数を減少させるのに効果的である。
【００９３】
・各変形例は、互いに組み合わせて適用してもよく、例えば、各空気袋１１ａ，１１ｂを、シートバック３の外部に別体で取り付けられるように構成することと、その他の変形例の構成とは、互いに組み合わせて適用してもよい。
【符号の説明】
【００９４】
１…シート、１０…オーディオ機器、１１（１１ａ，１１ｂ）…空気袋（右空気袋、左空気袋）、１２…マイク、１３…車両状態検出センサ、２０…給排気装置、２１…空気ポンプ、２３（２３ａ，２３ｂ）…給気バルブ（右給気バルブ、左給気バルブ）、２４…排気バルブ、２５（２５ａ，２５ｂ）…圧力センサ（右圧力センサ、左圧力センサ）、２６…制御装置、３０…車両用機器操作装置、ｊ…物理量、Ｌ（Ｌａ，Ｌｂ）…流路（右支線、左支線）、Ｖ…音声、ＣＭ…乗員、Ｐａ，Ｐｂ…内圧値。
【図１】
2018127026.tif 000003
【図２】
2018127026.tif 000004
【図３】
2018127026.tif 000005
【図４】
2018127026.tif 000006
【図５】
2018127026.tif 000007
【図６】
2018127026.tif 000008